(57)【要約】セルラー／ＧＰＳ複合装置または他の複合装置のようなハイブリッド通信／測位装置の周波数管理方式によれば、水晶発振器または他の部品を使用して装置の通信部分のローカルクロック信号（１０２）を生成する。発振器の出力を自動周波数制御（ＡＦＣ）回路またはソフトウェアによって補正して該当するクロック信号の周波数を高精度の周波数にすることができる。基本発振器をフェーズロックドループ（１１０）に接続して、ハイブリッド装置のセルラー部分（１２０）または他の通信部分用の高周波クロックを駆動するが、このクロック信号も高周波に変換することによりＧＰＳ（１２４）または他の測位受信機を駆動することができる。ＧＰＳベースクロックを無線周波数基準から抽出することにより、ハイブリッド装置の該当する部分に第２発振器またはシンセサイザを設ける必要がなくなる。或る実施形態では、ＡＦＣによる携帯クロックの調整を省略し、ＧＰＳ受信機または他の測位受信機に配信するために低周波数に分周する高周波クロック信号を周波数プリスケーラまたは他のモジュールにより調整することができる。
2006506832.tif 000002
【特許請求の範囲】
【請求項１】
周波数基準をハイブリッド通信装置において生成するシステムであって、
前記ハイブリッド通信装置の通信部分にあり、第１周波数のクロック信号を生成するクロックソースと、
前記クロックソースと通信し、補正済み第１周波数のクロック信号を生成する周波数補正モジュールと、
周波数変換器であって、前記周波数補正モジュールと通信して前記補正済み第１周波数の前記クロック信号を受信し、第２周波数のクロック信号を出力して前記ハイブリッド通信装置の測位受信機部分を動作させて無線測位信号を受信する周波数変換器とを備えるシステム。
【請求項２】
前記通信部分は携帯電話、双方向ページャ及びネットワーク可能な無線通信装置の内の少なくとも一つを含む請求項１記載のシステム。
【請求項３】
前記クロックソースは発振器を含む請求項１記載のシステム。
【請求項４】
前記クロックソースはシンセサイザを含む請求項３記載のシステム。
【請求項５】
前記周波数補正モジュールは温度周波数制御モジュールを含む請求項１記載のシステム。
【請求項６】
前記温度周波数制御モジュールは温度周波数制御アルゴリズムを含む請求項５記載のシステム。
【請求項７】
前記温度周波数制御モジュールは温度周波数制御回路を含む請求項５記載のシステム。
【請求項８】
前記周波数補正モジュールは自動周波数制御モジュールを含む請求項１記載のシステム。
【請求項９】
前記自動周波数制御モジュールは自動周波数制御回路を含む請求項８記載のシステム。
【請求項１０】
前記自動周波数制御モジュールは自動周波数制御アルゴリズムを含む請求項８記載のシステム。
【請求項１１】
前記周波数補正モジュールは製造公差データに基いて動作する請求項１記載のシステム。
【請求項１２】
前記周波数変換器は周波数分周器を含む請求項１記載のシステム。
【請求項１３】
前記測位受信機部分は全地球測位システム（Ｇｌｏｂａｌ  Ｐｏｓｉｔｉｏｎｉｎｇ  Ｓｙｓｔｅｍ）受信機を含む請求項１記載のシステム。
【請求項１４】
ハイブリッド通信装置において周波数基準を生成する方法であって、
前記ハイブリッド通信装置の通信部分において第１周波数のクロック信号を生成し、
前記第１周波数のクロック信号に基づいて、補正済み第１周波数のクロック信号を生成し、
前記補正済み第１周波数の前記クロック信号に基づいて、第２周波数のクロック信号を生成して、前記ハイブリッド通信装置の測位受信機部分を動作させて無線測位信号を受信する、方法。
【請求項１５】
前記通信部分は携帯電話、双方向ページャ及びネットワーク無線通信装置の内の少なくとも一つを含む請求項１４記載の方法。
【請求項１６】
第１周波数のクロック信号を生成する工程は、発振器を起動する工程を含む、請求項１４記載の方法。
【請求項１７】
第１周波数のクロック信号を生成する工程は、シンセサイザを動作させることを含む、請求項１６記載の方法。
【請求項１８】
補正済み第１周波数のクロック信号を生成する工程は、温度周波数制御モジュールを適用する工程を含む、請求項１４記載の方法。
【請求項１９】
温度周波数制御モジュールを適用する工程は、温度周波数制御アルゴリズムを実行する工程を含む、請求項１８記載の方法。
【請求項２０】
温度周波数制御モジュールを適用する工程は、温度周波数制御回路を動作させる工程を含む、請求項１８記載の方法。
【請求項２１】
補正済み第１周波数のクロック信号を生成する工程は、自動周波数制御モジュールを動作させることを含む、請求項１４記載の方法。
【請求項２２】
自動周波数制御モジュールを動作させる工程は、自動周波数制御回路を動作させる工程を含む、請求項２１記載の方法。
【請求項２３】
自動周波数制御モジュールを動作させる工程は、自動周波数制御アルゴリズムを実行する工程を含む、請求項２１記載の方法。
【請求項２４】
補正済み第１周波数のクロック信号を生成する工程は、製造公差データに基いて動作する工程を含む、請求項１４記載の方法。
【請求項２５】
第２周波数のクロック信号を生成する工程は、周波数分周器を動作させる工程を含む、請求項１４記載の方法。
【請求項２６】
前記測位受信機部分は全地球測位システム受信機を含む請求項１４記載の方法。
【請求項２７】
周波数基準をハイブリッド通信装置において生成するシステムであって、
前記ハイブリッド通信装置の通信部分にあり、第１周波数のクロック信号を生成するクロックソースと、
前記クロックソースと通信して前記第１周波数のクロック信号を受信し、第２周波数の第２信号を出力する周波数変換器とを備え、前記第２周波数を使用して前記ハイブリッド通信装置の測位受信機部分を動作させて無線測位信号を受信する、システム。
【請求項２８】
前記通信部分は携帯電話、双方向ページャ及びネットワーク無線通信装置の内の少なくとも一つを含む請求項２７記載のシステム。
【請求項２９】
前記クロックソースは発振器を含む請求項２７記載のシステム。
【請求項３０】
前記クロックソースはシンセサイザを含む請求項２９記載のシステム。
【請求項３１】
前記周波数変換器は周波数分周器を含む請求項２７記載のシステム。
【請求項３２】
前記周波数変換器はプリスケーラを含む請求項２７記載のシステム。
【請求項３３】
前記測位受信機部分は全地球測位システム受信機を含む請求項２７記載のシステム。
【請求項３４】
ハイブリッド通信装置において周波数基準を生成する方法であって、
前記ハイブリッド通信装置の通信部分において第１周波数のクロック信号を生成して、
前記第１周波数のクロック信号に基づいて、第２周波数のクロック信号を生成して、前記ハイブリッド通信装置の測位受信機部分を動作させて、無線測位信号を受信する、方法。
【請求項３５】
前記通信部分は携帯電話、双方向ページャ及びネットワーク無線通信装置の内の少なくとも一つを含む請求項３４記載の方法。
【請求項３６】
第１周波数のクロック信号を生成する工程は、発振器を起動する工程を含む、請求項３４記載の方法。
【請求項３７】
第１周波数のクロック信号を生成する工程は、シンセサイザを動作させる工程を含む、請求項３６記載の方法。
【請求項３８】
第２周波数のクロック信号を生成する工程は、前記第１周波数の前記クロック信号を分周する工程を含む、請求項３４記載の方法。
【請求項３９】
第２周波数のクロック信号を生成する工程は、プリスケーラを動作させる工程を含む、請求項３８記載の方法。
【請求項４０】
前記測位受信機部分は全地球測位システム受信機を含む請求項３４記載の方法。
【発明の詳細な説明】
【技術分野】
【０００１】
（関連出願）
本出願は、２００２年５月１７日出願の米国仮出願番号６０／３８０，８３２に関し、かつこの仮出願の優先権を主張するものであり、この仮出願を参照することによりこの仮出願の内容が本発明の開示に含まれる。本出願はまた、本出願と同じ出願日に出願された事件番号ＣＭ０３７１３Ｊを有し、本発明と同じ発明者による出願であり、かつ本出願と同じ事業体に譲渡される、または譲渡する義務のある、「通信測位装置における周波数管理システム及び周波数管理方法(SYSTEM AND METHOD FOR FREQUENCY MANAGEMENT IN A COMMUNICATIONS POSISIONONG DEVICE) 」と題された米国出願の主題に関するものであり、この出願を参照することによりこの出願の内容が本願に援用される。
【０００２】
本発明は通信分野に関し、特に携帯電話、または全地球測位システム（Ｇｌｏｂａｌ  Ｐｏｓｉｔｉｏｎｉｎｇ  Ｓｙｓｔｅｍ：ＧＰＳ）または他の位置特定サービスのような測位機能を有する他の通信装置において高精度の周波数ソースを生成し、管理する技術に関する。
【背景技術】
【０００３】
ＧＰＳ受信機は捕捉時間及び追尾時間のような性能基準により特徴付けることができ、このような基準はＧＰＳ衛星信号を検出し、自動追跡するために必要な処理の量、従ってユーザの位置を正確に報告し始めるのに要する時間を表わす。ＧＰＳ受信機の捕捉、追尾、感度及び他の性能パラメータは多種多様な要素の影響を受ける。これらの要素には、無線周波数検出目的及び他の目的の周波数基準が装置内で生成され、管理される精度が含まれる。民生用粗捕捉（ｃｏａｒｓｅ  ａｃｑｕｉｓｉｔｉｏｎ：Ｃ／Ａ）目的に使用されるＬ１  ＧＰＳ信号は１．５７５ＧＨｚでＮＡＶＳＴＡＲ衛星からブロードキャストされる。ロシアのＧＬＯＮＡＳＳ衛星は同様の周波数領域でブロードキャストを行なう。
【０００４】
携帯用受信機、車搭用受信機、固定受信機及び他のＧＰＳ受信機及び他の測位受信機は、これらの受信機クロックにおいて通常、数ｐｐｍ以下の範囲の周波数安定性を必要とし、この周波数安定性に基づいてＧＰＳ信号からドップラーデータ及び他のデータを求めるので、正確な受信機位置を妥当な捕捉時間内で三角測量することができる。
【０００５】
近年、マーケットトレンドとして他の通信サービスと組み合わせたＧＰＳ機能の開発がある。携帯電話、デジタルページャ、無線携帯情報端末、８０２．１１ａクライアント及び他のクライアントのような種々の無線装置は全て、ＧＰＳ位置特定受信機と組み合わせることにより種々の用途に用いることができる。
【発明の開示】
【発明が解決しようとする課題】
【０００６】
しかしながら、携帯電話及び他の通信装置に一般的に用いられるクロック基準の精度は通常、事業用ＧＰＳサービスに必要な精度ほどには高くなくてもよく、この事業用ＧＰＳサービスでは、上記したように少なくとも数ｐｐｍから数十分の１ｐｐｍ以下の超高精度が必要であり、これにより追尾性能を更に向上させる。他方、携帯電話は、実施形態に依存するが５〜数十ｐｐｍ程度にしか収まらないような精度の非補償型発振器を備えている。携帯型装置は大きな周波数変動を許容することができる。その理由の一部として、携帯電話または他の装置は安定な周波数基準を基地局または無線ネットワークからそれ自体から求める機能を備えているからである。
【０００７】
連邦通信委員会（Ｆｅｄｅｒａｌ  Ｃｏｍｍｕｎｉｃａｔｉｏｎｓ  Ｃｏｍｍｉｓｓｉｏｎ) によって負託されているような発呼者位置特定サービス付きの携帯電話と組み合わせたＧＰＳ受信機の場合、１６．８ＭＨｚまたは他の基底周波数に調整された携帯電話の局部水晶発振器は、例えば±３０ｐｐｍ程度の周波数偏移を有する。従って携帯電話の内部クロックは、それ自体で複合装置のＧＰＳ回路を駆動してＧＰＳを有効に動作させるには十分ではない。普通の水晶発振器で動作する温度補償回路は周波数基準を±５ｐｐｍ程度にまで改善するが、これらのタイプの部品は比較的低コストのモバイル装置のコストを高くしてしまう。２つの補正された基準発振器を、例えば一つはＧＰＳ用に、もう一つは携帯サービスまたは他の通信サービス用に異なる周波数で提供するといったような解決方法は、複合装置において経済的に有利と成り得ないと考えられる。他の問題が生じる。
【課題を解決するための手段】
【０００８】
この技術分野におけるこれらの問題及び他の問題を解決する本発明は、一態様において、通信／測位複合システムにおいて周波数管理を行なうシステム及び方法に関するものである。この通信／測位複合システムでは、信号復調を装置の通信側で行なうために使用される高い周波数基準から安定な基底周波数をＧＰＳ用に抽出することができる。従って本発明は一態様において、携帯電話回路及びＧＰＳ回路の双方を一つのソースによって制御することができ、装置のＧＰＳ受信機部分に第２の発振器を設ける必要が無い。本発明の一態様のによれば、ＧＰＳ回路は、復調、ダウンコンバージョン、または他の通信動作を行なう無線局部発振器を形成するフェーズロックドループからの信号によって駆動され、そのフェーズロックドループからの信号は適切なＧＰＳ基底周波数に分周される。複合装置の通信部分を駆動する基本発振器は、例えばソフトウェア温度補正、ハードウェア温度補正、製造時の周波数偏りの測定値、自動周波数制御（ＡＦＣ）、または他の技術を使用して、装置の通信部分の精度が±５ｐｐｍ程度となるように補正され得る。従ってＧＰＳ受信機部品を相応する精度で駆動することができるので、このＧＰＳ受信機部品はそれ自体の局部発振器を備える必要がなく、同時に十分なレベルのＧＰＳ性能をかなり低いコストで実現することができる。
【発明を実施するための最良の形態】
【０００９】
本発明について添付の図を参照しながら記載するが、これらの図では、同様の構成素子は同様の番号により参照することができる。
本発明による周波数管理システムを実現するアーキテクチャを図１に示す。このアーキテクチャにおいては、通信／測位複合装置はＧＰＳ受信機１２４及び通信トランシーバ１２０を組み込んでいる。複合装置の通信トランシーバ１２０は、例えばポータブル無線、携帯電話、双方向または他のページャ（小型無線呼出機）、無線モデム、無線携帯情報端末、または無線信号、光信号、もしくは無線通信信号を受信または送信する他の装置であるか、もしくはそれらの装置を含むことができる。
【００１０】
図示した通信／測位複合装置は基本発振器１０２を含み、この発振器によって周波数基準を供給して最終的に通信トランシーバ１２０を駆動する。実施形態においては、基本発振器１０２は自由に動作する非補償型の基準部である。基本発振器１０２の基底周波数は、８００／９００ＭＨｚ，１９００ＭＨｚまたは他の周波数範囲での携帯電話動作または他の動作に適合する値に設定することができる。基本発振器１０２は、例えば１６．８ＭＨｚ、または他の周波数に設定することができ、この周波数を搬送波レンジに拡大することができる。基本発振器１０２を実現するために使用することができる非補償型水晶発振器はそれ自体が通常、例えば±３０ｐｐｍ前後度の周波数偏移を示す。
【００１１】
或る実施形態においては、ハードウェア、ソフトウェア、または他の技術を使用して基本発振器１０２の出力を処理または補正して周波数安定性を改善することができる。基本発振器１０２を制御する技術としては、例えば製造部品の検出周波数の偏り、またはずれ
、及び他のアーチファクトを工場測定データ１０４を使用して補償する方法がある。一態様では、工場測定データ１０４は複合装置に保存され、使用されて動作中の基本発振器１０２の周波数をソフトウェアまたは他の方法により再センタリングする。他の調整法を用いることも可能である。
【００１２】
或る実施形態においては、同様に、基本発振器１０２を、温度周波数制御モジュール１０６を使用して温度変動に関連する周波数ドリフトまたは他のアーチファクトに関して制御することができる。或る実施形態においては、温度周波数制御モジュール１０６は、基本発振器１０２を補正するためのハードウェア、ソフトウェア、ファームウェア、またはこれらの組合せを使用して実施され得る。
【００１３】
或る実施形態においては、温度周波数制御モジュール１０６は、例えば、温度制御水晶発振器（ｔｅｍｐｅｒａｔｕｒｅ−ｃｏｎｔｒｏｌｌｅｄ  ｃｒｙｓｔａｌ  ｏｓｃｉｌｌａｔｏｒ：ＴＣＸＯ）または他のハードウェア補正発振器または基準部品のようなハードウェア部品を使用して基本発振器１０２に組み込むことがでる。ハードウェアＴＣＸＯは、例えば製造、設計または他の要素に依存して±５ｐｐｍ程度の周波数精度を示す。
【００１４】
或る実施形態においては、温度周波数制御モジュール１０６は、例えば温度周波数制御（ｔｅｍｐｅｒａｔｕｒｅ  ｆｒｅｑｕｅｎｃｙ  ｃｏｎｔｒｏｌ：ＴＦＣ）または他のアルゴリズムのようなソフトウェア制御を使用して実現され、例えば、温度、電力及び他のパラメータに基づいて、周波数設定を検知及び調整する。
【００１５】
或る実施形態においては、基本発振器１０２の出力を処理して周波数基準の精度を更に上げることができる。図１に示すように、周波数追尾制御モジュール１０８は基本発振器１０２に補正を適用して、周波数出力の精度を上げることができる。或る実施形態においては、周波数追尾制御モジュール１０８はハードウェア、ソフトウェア、ファームウェア、またはこれらの組合せで実行することができる。
【００１６】
或る実施形態においては、周波数追尾制御モジュール１０８は、携帯電話搬送波または他の搬送波へのロックを行なうスーパーヘテロダイン方式、ダイレクトコンバージョン方式、または他の方式の自動周波数制御（ａｕｔｏｍａｔｉｃ  ｆｒｅｑｕｅｎｃｙ  ｃｏｎｔｒｏｌ：ＡＦＣ）回路のようなハードウェアで実行することができる。
【００１７】
或る実施形態においては、周波数追尾制御モジュール１０８は、ソフトウェアアルゴリズムで実行することができ、この場合、補正をハードウェアではなく、例えばプログラミング論理または他の方法により、シンセサイザまたは他の関連する部分に対して行なって周波数精度の向上を実現することができる。
【００１８】
携帯電話ネットワークまたは他の通信ネットワークにおいては、周波数追尾制御モジュール１０８によって補正される周波数基準の精度は、例えば±０．２ｐｐｍ程度である。この理由の一部として、携帯電話基地局または他の基地局が、これらの基地局の通信チャネルを通してブロードキャストされる正確なセシウム基準または他のクロック基準を維持し得ることが挙げられる。図示の周波数追尾制御モジュール１０８は、例えば通信トランシーバ１２０と通信し、通信トランシーバ１２０からの入力を受信して、負帰還技術または他の技術により周波数追尾を行なう。
【００１９】
図示の周波数追尾制御モジュール１０８をフェーズロックドループ１１０に適用して、動作周波数を携帯電話通信または他の通信、或いは他の動作を行なうための周波数にすることができる。フェーズロックドループ１１０は位相比較器１１２を含むことができ、この比較器により基本発振器１０２の位相を高周波発振器の位相と比較する。高周波発振器
１１６は、例えば電圧制御高周波発振器（ｖｏｌｔａｇｅ  ｃｏｎｔｒｏｌｌｅｄ  ｈｉｇｈ−ｆｒｅｑｕｅｎｃｙ  ｏｓｃｉｌｌａｔｏｒ：ＶＣＯ）として実施され得る。このＶＣＯは、携帯電話動作または他の動作ために、例えば、８００／９００ＭＨｚ，１９００ＭＨｚまたは他の周波数範囲の周波数を生成する。ループフィルタ１１４は位相比較器１１２の出力に低域フィルタリングを行なって高周波アーチファクトまたは他の雑音を取り除く。
【００２０】
次にループフィルタ１１４の出力が高周波発振器１１６を動作周波数に駆動し、ループ分周器１１８によって提供される帰路により位相比較器１１２に至る閉ループが完成する。これにより高周波発振器１１６の位相が基本発振器１０２の位相にロックされるので、動作中において、これらの位相の間の位相角度がゼロまたはほぼゼロに維持されるか、或いは一定またはほぼ一定の角度差を有するように維持される。
【００２１】
高周波発振器１１６のクロック基準はフェーズロックドループ１１０の出力を形成し、次にこの出力が通信トランシーバ１２０を駆動して、通信装置にブロードキャストされる無線信号を復調し、低い周波数に変換（ダウンコンバージョン）し、受信するか、または他の通信動作を実行する。図１に示す実施形態では、工場測定データ１０４、温度周波数制御モジュール１０６及び周波数追尾制御モジュール１０８の各々は同様に、フェーズロックドループ１１０のループ分周器１１８と通信して、通信トランシーバ１２０の駆動に使用されるフェーズロックドループ１１０の出力の調整を相互に関連付ける。例えば、或る実施形態においては、これらの補正のためのデータまたは補正のためのモジュールからの入力に従って、比較的微細な調整または他の調整をループ分周器１１８の分周比に対して行なう。
【００２２】
本発明の実施形態によれば、フェーズロックドループ１１０の出力を使用して複合装置内のＧＰＳ受信機１２４を駆動することもできる。従って、ＧＰＳ受信機１２４は、付加的な局部発振器に加えて関連する自動周波数制御（ａｕｔｏｍａｔｉｃ  ｆｒｅｑｕｅｎｃｙ  ｃｏｎｔｒｏｌ：ＡＦＣ）または他の信号処理回路またはソフトウェアを組み込んで複合装置の相応する部分の周波数基準を安定させるために要するコストが付加されることなく、ＧＰＳ信号を取得し、追尾することができる。
【００２３】
図１に示す実施形態によれば、ＧＰＳ受信機１２４の局部発振器装置を必要とすることなく、フェーズロックドループ１１０から出力される周波数基準を通信回路または他の回路のＧＰＳ受信機１２４に送信することができる。本実施形態では、基本発振器１０２から生成される周波数基準は、例えばＧＰＳ分周器１２２によって所望のＧＰＳ周波数に分周される。図示のＧＰＳ分周器１２２は同様に、周波数追尾制御モジュール１０８と通信し、このモジュールからの入力を受信して分周比または他の調整処理パラメータをより正確にする。ＧＰＳ分周器１２２の出力をフィルタ１２８に通して通信することにより、雑音の除去、復調周波数の分離、または他の信号調整を行なう。或る実施形態においては、分周は、例えば、ＧＰＳ分周器１２２を独立部品として使用して、あるいは、シンセサイザまたは他の部品の一部として含まれる補助シンセサイザプリスケーラによって、または他の部品もしくはソフトウェアによって行われる。
【００２４】
ＧＰＳ分周器１２２の出力の精度は、温度補正、ＡＦＣ補正、フェーズロックドループ補正または他の補正によって処理される基本発振器１０２の精度に追随するので、この低い周波数への変換プロセスによって基準信号が、実施形態では±５ｐｐｍ〜±０．２ｐｐｍ程度の精度を有するＧＰＳ受信機１２４に供給される。これにより、ＧＰＳ受信機１２４自体に独立した発振器またはステップアップ型フェーズロックドループを導入する必要が全く無くり、結果として得られる装置のコストが小さくなり、信頼性が向上する。
【００２５】
一態様における本発明による処理を図２に示す。ステップ２０２で処理が始まる。ステップ２０４では、基本発振器１０２は、通信または他の目的のための、１６．８ＭＨｚまたは他のクロック基準信号を生成する。ステップ２０６では、オフセット補正を使用する場合には、オフセット補正を適用して基本発振器１０２の出力を工場測定データ１０４または他のデータに基づいてセンタリングまたは補正することができる。ステップ２０８では、温度補正を使用する場合には、温度周波数制御モジュール１０６を使用する温度補正を適用し、、例えばソフトウェア、回路、または他の技術を使用して基本発振器１０２の出力を補正して、周波数精度または周波数安定性を向上すうることができる。
【００２６】
ステップ２１０では、基本発振器１０２の出力をフェーズロックドループ１１０に送信する。ステップ２１２では、フェーズロックドループ１１０が高周波発振器１１６の位相を基本発振器１０２の位相にロックする。ステップ２１４では、フェーズロックドループ１１０の出力が通信トランシーバ１２０を駆動して、例えば携帯電話動作または他の動作を可能にする。
【００２７】
ステップ２１６では、通信トランシーバ１２０は携帯電話基地局または他のリモートトランシーバ或いは他のトランシーバに接続されるか、またはこれらと通信する。ステップ２１８では、ＡＦＣまたは他の周波数追尾制御を基本発振器１０２に対して、例えばソフトウェア、回路または他の技術により行なう。
【００２８】
ステップ２２０では、フェーズロックドループ１１０の出力をＧＰＳ分周器１２２に送信して、例えば、着信基準信号を、例えば２４．５５３５ＭＨｚまたは他の周波数のような、ＧＰＳ動作を起動するのに使用される基底周波数に分周する。
【００２９】
ステップ２２２では、ＧＰＳ分周器１２２は分周比に従って出力基準信号を生成するが、この分周比は或る実施形態においては通信状態または他の状態に従ってプログラムする、または動的に調整することができる。他の実施形態では、分周比はハードウェアに組み込む、または無線を通して伝達する、或いは比較的静的な状態を維持するように設定することができる。
【００３０】
ステップ２２４では、ＧＰＳ分周器１２２の出力が、無線周波数復調動作または他の動作のために、ＧＰＳ受信機１２４を、例えばフィルタ１２８を通して駆動する。ステップ２２６では、処理が終了するか、処理を反復するか、または前の処理ポイントへ戻る。
【００３１】
図３に示す本発明の実施形態では、その補正が所与の実施形態において十分な精度を実現するために必要ではない場合には、いずれの周波数追尾制御モジュールをも省略して、基本発振器１０２の出力をフェーズロックドループ１１０に送信することができる。このような実施形態では、ＧＰＳ分周器１２２の分周比は多くの場合、動的に、または他の方法により、例えば細かい増分で調整され、これにより、結果として得られたＧＰＳ周波数基準をＡＦＣまたは他の回路、或いはアルゴリズムを援用することなく調整することができる。結果として得られたＧＰＳ周波数基準はＧＰＳ受信機１２４に配信される。この場合、工場測定データ１０４及び温度周波数制御モジュール１０６により行なわれるか、または起動される補償のような他の補償を基本発振器１０２に対して実行するだけでなく、フェーズロックドループ１１０のループ分周器１１８または他の部分に施すこともできる。工場測定データ１０４または他のデータを使用する補正のような基本発振器１０２に対する他のタイプの補正または補償を単独で、または温度制御技術、或いは他の技術と連係して適用することもできる。
【００３２】
上述のように本実施形態では、ＧＰＳ分周器１２２の分周比を例えば調整して、ＧＰＳ受信機１２４に配信されるクロック基準を比較的精密に、または実施形態によっては、よ
り精密に、もしくはより大まかに変化させることができる。分周比は例示として整数Ｎとしているが、小数点表示の分周比または他の分周比も適用可能である。実施形態における基本発振器１０２に対する周波数追尾補正または他のタイプの補償を省略できるかどうかは、通信トランシーバ１２０の周波数範囲、製造中の基本発振器１０２の検出オフセット、ＧＰＳ分周器１２２が実行する分周比の数値的精度のような要素、または他の要素に一部依存する。
【００３３】
図４に示す実施形態では、フェーズロックドループ１１０は、携帯電話動作または他の動作のために、通信トランシーバ１２０を直接駆動するのではなく、シンセサイザ１２６または他の部分を駆動して他の所望の周波数を生成する。本実施形態によれば、周波数基準を、例えば携帯電話または他の実施形態用のマルチバンド動作のような設計要件に従ってプログラムするか、またはスケーリングすることができる。同様にして或る実施形態においては、ＧＰＳ分周器１２２が、今度は、ＧＰＳ受信機１２４を直接駆動するのではなく、シンセサイザまたは他の部分を駆動して所望範囲の周波数を生成する。
【００３４】
本発明についてのこれまでの記述は例示であり、構成及び実施形態に対する変更は、この技術分野の当業者であれば可能である。例えば、高周波発振器１１６を基本発振器１０２にロックするフェーズロックドループ１１０について、比較器、ループフィルタ、高周波発振器、及びフィードバック分周器を含む負帰還構成の観点から概して記述してきたが、或る実施形態においては、位相ロック機能を他の回路構成においてソフトウェアアルゴリズム、またはハードウェア及びソフトウェアの他の組合せにより実行することができる。
【００３５】
さらに、通信トランシーバ１２０及び関連回路について、測位機能を備える携帯電話の観点から概して記述してきたが、他の通信受信機または通信トランシーバを使用することができる。例えば或る実施形態においては、双方向通信トランシーバ１２０ではなく受動通信受信機を用いることができる。他の受信機、トランシーバ、モデム、または他の通信部品を使用することができる。例えば或る実施形態においては、衛星をベースとする通信受信機または通信トランシーバ、データリンクまたは他の有線、無線、光及び他のインターフェイスまたはチャネルを使用することができる。再度、同様に、本発明について、測位受信機としてのＧＰＳデバイスの観点から概して記述してきたが、他の測位システムまたは複数の測位システムの組合せを使用することができる。また、本発明について、一対の通信受信機及び測位受信機、モデム、または要素の観点から概して記述してきたが、或る実施形態においては、通信受信機、測位受信機または他の受信機、モデム、または他の通信装置を３つ以上備えた構成を用いることができる。従って本発明は、次の請求項によってのみ規定されるように構成される。
【図面の簡単な説明】
【００３６】
【図１】本発明の一の実施形態による周波数管理アーキテキチャを示す図。
【図２】本発明の一の実施形態による周波数管理処理のフローチャートを示す図。
【図３】本発明の一の実施形態による周波数管理アーキテキチャを示す図。
【図４】本発明の一の実施形態による周波数管理アーキテキチャを示す図。
【図１】
2006506832.tif 000003
【図２】
2006506832.tif 000004
【図３】
2006506832.tif 000005
【図４】
2006506832.tif 000006
【国際調査報告】
2006506832.tif 000007